(57)【要約】      （修正有）【課題】携帯電話による電子メール送受信情報の保護、電子メール受信の即時報告、携帯電話間による電子メールの受信開封を証明、電子メール送信日時の指定。【解決手段】携帯電話からインターネットでサーバーコンピュータにアクセスし、ＩＤとパスワードを登録して希望する電子メールアドレスを付帯する私書箱を借用するシステムであって、ユーザー携帯電話機画面上で実行できる次の機能を備える。＊借用した私書箱を閲覧できる＊借用した電子メールアドレスによる外部との電子メール送受信ができる＊私書箱はアドレス帳として個人情報を管理できる＊私書箱へのアクセスはＩＤパスワードによるユーザーの認証を行う＊ユーザーは電子メール送信の際受信者に開封の承諾を求めることができる＊ユーザーは電子メールの送信を実行する時間を指定できる。＊送受信した電子メールは時系列式に表示される。＊電子メールの受信を暗号化された一意の形式で報告する。【選択図】図２
2004265361.tif 000002
【特許請求の範囲】
【請求項１】
携帯電話を使用した電子メールを、直接携帯電話機に格納せずサーバーコンピュータ上のユーザー毎に割付けられた該領域（ユーザー専用ＢＯＸ）を使用して、送受信履歴及び通信本文を表示することを特徴とした、携帯電話電子メール私書箱。
【請求項２】
ユーザー毎に割り付けられた該領域（ユーザー専用ＢＯＸ）には、該領域別の電子メールアドレスを付帯することを特徴とする携帯電話電子メール私書箱。
【請求項３】
携帯電話機から、ユーザー毎に割付けられた該領域（ユーザー専用ＢＯＸ）へのアクセスは、特定のパスワードにより実行、表示することを特徴とする携帯電話電子メール私書箱。
【請求項４】
ユーザー毎に割付けられた該領域（ユーザー専用ＢＯＸ）は、特定掲示板としての機能を有し、該領域別アドレスに受信した電子メールは、時系列式に表示することを特徴とする携帯電話電子メール私書箱。
【請求項５】
ユーザー毎に割付けられた該領域（ユーザー専用ＢＯＸ）に外部から送信された電子メールの受信があった場合、直ちに、電子メール受信の報告を、受信内容とは異なる暗号化された一意の形式で、ユーザー携帯電話機指定アドレスに電子メールにて送信することを特徴とする携帯電話電子メール私書箱。
【請求項６】
電子メール受信の報告はユーザーの希望により、携帯電話機へのダイヤルアップによる発呼形式とすることや、報告の拒否を設定できることを特徴とする携帯電話電子メール私書箱。
【請求項７】
ユーザー毎に割り付けられた該領域（ユーザー専用ＢＯＸ）内に付帯する、送信用フォームを使用し、ユーザーは携帯電話機画面上にて電子メールの送信を可能にすることを特徴とする携帯電話電子メール私書箱。
【請求項８】
携帯電話機機種変更、及び該携帯電話機サーバーの変更後も、特定パスワードにより、ユーザー毎に割り付けられた該領域（ユーザー専用ＢＯＸ）へのアクセスを可能にすることを特徴とする携帯電話電子メール私書箱。
【請求項９】
ユーザーが送信フォームによって作成した電子メールの送信を実行する日時を指定できることを特徴とする携帯電話電子メール私書箱。
【請求項１０】
ユーザー毎に割り付けされる該領域（ユーザー専用ＢＯＸ）は、アドレス帳管理機能を有し、ユーザーの任意によって読み出しや書き換えができることを特徴とする携帯電話電子メール私書箱。
【請求項１１】
ユーザー携帯電話機から電子メール送信の際、開封確認を付帯する事で、受信者がメールを開封した実績を送信者に報告することを特徴とする携帯電話電子メール私書箱。
【発明の詳細な説明】
【０００１】
【発明の属する技術分野】
本発明は携帯電話を使用した電子メール私書箱方式に関するものであり、電子メールやファイル転送など複数のサービスアプリケーションについてユーザーがインターネットサービスプロバイダ（ＩＳＰ）やコンテンツプロバイダ（ＣＰ）から受け取るコンテンツまたはユーザーが作成するコンテンツを一括してユーザー毎に時系列ごとに記憶保管する領域を設定する保管蓄積サーバー装置とユーザー毎に割り付される該領域のアドレス発行および管理、外部からのアクセスに対してユーザー毎に指定される該領域だけに接続を実現するユーザー認証とアクセス解決を行うソフトウエア及び該領域内への外部からの電子メール受信毎に各該領域の保有ユーザー携帯電話機指定アドレスに電子メール受信完了を暗号化された一意の形式で報告、または  携帯電話機に発呼を行う。情報蓄積状況を時系列別に該領域を利用するユーザーに提示するソフトウエアを備える中央制御装置と、収容されるユーザーの利用状況や端末情報を蓄積する管理装置と、各該領域の保有ユーザー携帯電話機指定アドレスにアクセス完了を暗号化された一意の形式で報告する装置とインターネットへの接続を実現する経路制御装置とで構成されるＬＡＮ装置と、ユーザー携帯電話機に発呼する通信装置群からこの電子私書箱方式を構成する。
【０００２】
【従来の技術】
従来の携帯電話機の電子メール送受信方法では、携帯電話機内部記憶領域にメッセージ等がダウンロードされ、保存される。これら電子メールの保護に関して定める法律がなく、第三者が他人の携帯電話機の記憶領域内にある電子メールを許可なく閲覧し、トラブルに発展するケースも急増している。また携帯電話機は、一台につき１つのメールアドレスしか持つことができず、サービスプロバイダや携帯電話機機種変更などにより機器を変更した際にもデータが簡単に移行できない問題も抱えている。また携帯電話機による電子メールの送信する方式は受信者に対する一方的な送信であり、送信者は受信者が受信した電子メールを開封した実績は確認することができない。
【０００３】
【発明が解決しようとする課題】
電子メール等のプライバシーの保護、及び、従来の電子メール送受信方法では、携帯電話機の破損、及び紛失、サービスプロバイダの変更の際に生じるデータ損失の問題を別のコンピュータなどに専用のソフトウェアを使用して移行するなどして回避せざるを得なかった。本発明により、携帯電話機器を持つ複数の利用者が抱える管理などの問題を軽減し、携帯電話以外の電子メール送受信手段を持たない利用者が、複雑な操作を必要としないでデータ保護保管方法として使用することができるようにする。また携帯電話機による電子メールの送信者は受信者が受信した電子メールを開封した実績を確認できないという問題の解決を可能にすること、電子メール送信の際受信者側の時間帯条件に合わせて電子メールの送信を実行する。
【０００４】
【問題を解決するための手段】
携帯電話機内の記憶領域にデータを保存せず、認証機能を有するサーバーコンピューター内部機能であるユーザー毎の領域にデータを保存することで、放置や紛失の際第三者の容易なデータ閲覧を不可能にする。
【０００５】
携帯電話機の機種特性に依存しないため、携帯電話固体が変更されても該領域に残るデータを閲覧することを可能にする。
【０００６】
ユーザー携帯電話機から電子メール送信の際、開封確認機能の付帯を設定することによりサーバーコンピュータは電子メール受信者に予め電子メールの開封を求めるメッセージを送信し受信者が電子メールの開封を承諾した後、電子メール本文の送信を開始すると同時に送信者であるユーザー携帯電話機指定アドレスに受信者が電子メールの開封を承諾したこと電子メールにて報告する。
【０００７】
ユーザーは電子メール送信の際、送信を実行する日時を設定する事によりサーバーコンピュータは指定された日時に電子メールの送信を実行する。
【０００８】
【発明の実施の形態】
サーバーコンピュータ▲１２▼は、通信回線によりユーザー携帯電話機▲６▼と電話通信手段によりネットワークを形成し、双方でデータの送受信が可能。
【０００９】
ユーザー携帯電話機▲６▼は、認証機能▲７▼により予め登録された認証番号が発行されており、登録されているユーザーのみが認証番号の入力により、ＤＢ▲４▼に接続が可能になる。
【００１０】
ユーザーの該領域別電子メールアドレスにメールが送信されると、ＩＳＰ▲１▼（インターネットサービスプロバイダ）を介して、サーバーコンピュータにデータが送信される。サーバーコンピュータ▲１２▼内のメールサーバー▲２▼がデータを受信し、ユーザー該領域受信ＢＯＸ▲５▼に格納するとともに、予め登録されたユーザー携帯電話機▲６▼の指定アドレスに対して、受信した事を、利用者が予め選択した一意の表示内容で報告を行う。
【００１１】
着信報告を受信したユーザーが携帯電話でサーバーコンピュータ▲１２▼にアクセスすると、認証機能▲７▼内で認証番号の確認を実行する。
【００１２】
ユーザーの認証完了後サーバーコンピュータ▲１２▼はユーザー該領域受信ＢＯＸ▲５▼から受信データを掲示板▲８▼に送り、携帯電話表示部に時系列に表示される。
【００１３】
ユーザーは携帯電話表示部上の画面選択した受信したデータを読む事が出来る。
【００１４】
ユーザーは、受信データを確認し、掲示板画面からユーザー該領域受信ＢＯＸ▲５▼内のデータを残しておくか抹消するかの選択を行う事が出来る。
【００１５】
ユーザーからの送信手段は、携帯電話機からサーバーコンピュータ▲１２▼にアクセスし、送信フォーム▲９▼に必要事項を携帯電話機操作部にて書き込み、ユーザー該領域送信ＢＯＸ▲１０▼からメールサーバー▲２▼を経由して送信を開始する。
【００１６】
ユーザーの任意による送信開始時間を指定する事も可能である。
【００１７】
ユーザーは電子メール送信の際メール送信フォーム▲９▼に付帯する開封確認を指定すると、メールサーバー▲２▼は電子メール受信者である携帯電話機、パソコン▲１１▼に予め電子メールの開封を求めるメッセージを送信し電子メール受信者が電子メールの開封を承諾すると自動的にメールサーバー▲２▼は電子メール本文の送信を実行する、同時にユーザー携帯電話機▲６▼指定アドレスに受信者が電子メールの開封確認を了承したことを電子メールにて報告する（開封確認）▲１７▼。
【００１８】
【発明の効果】
【００１９】請求項３により、携帯電話機による電子メールの送受信記録データの第三者による無断閲覧の防止。
【００２０】携帯電話機電源は常時ＯＮ状態である事から請求項５に示す機能により、電子メール受信後即時閲覧が可能になる。
【００２１】請求項９により、指定した日時に電子メールを送信できるので、指定した時間に起こるべく予定を事前に告知する事が出来る。すなわち目覚ましとしてのアラーム利用や、予め重要予定時刻に指定して電子メールを送信する事で事前告知が可能になる。
【００２２】ユーザーは携帯電話機による電子メール送信の際、請求項１１により、受信者が電子メールを開封した事を確認できるので、送信者と受信者間の電子メールのやり取りが明確になる。
【００２３】
【図面の簡単な説明】
【図１】「携帯電話メール私書箱システムの構成概略図である。」
【図２】「携帯電話メール私書箱取得と送受信手順の略図である。」
【図３】「開封確認メール送信システムの構成概略図である。」
【図１】
2004265361.tif 000003
【図２】
2004265361.tif 000004
【図３】
2004265361.tif 000005